(57)【特許請求の範囲】
【請求項１】
浮体を係留するため海底に着床せしめる複数の小アンカーと１個の大アンカーと、上記各小アンカーを数珠状に繋ぐため、小アンカーの一端と他の小アンカーの他端とをそれぞれ直接連結する弾性体からなる連結具と、上記数珠状に連なったアンカー群の一端側の小アンカーと浮体とを連結する連結部材と、上記数珠状に連なったアンカー群の他端側の小アンカーと上記大アンカーとを直接連結する弾性体からなる連結具とより成ることを特徴とする浮体の係留装置。
【請求項２】
浮体を係留するため海底に着床する第一アンカーと、上記第一アンカーを上方から覆う、その天井面を上記第一アンカーの上面から一定の間隔離間するように海底に着床せしめる第二アンカーと、上記第二アンカーの天井板に設けた貫通孔と、上記貫通孔を貫通して、上記浮体と上記第一アンカー間を連結する連結部材とよりなることを特徴とする浮体の係留装置。
【請求項３】
上記第一アンカーの上面と上記第二アンカーの天井面との間に衝撃吸収部材を設けたことを特徴とする請求項２記載の浮体の係留装置。
【請求項４】
浮体を係留するため海底に着床せしめる細長い砂袋と、上記砂袋の一端と浮体とを連結する連結部材とより成り、上記浮体と上記砂袋との間の変位が増加するにつれて、上記砂袋の一端側から他端側に向けて海底から持ち上がることを特徴とする浮体の係留装置。
【請求項５】
浮体を係留するため順次に重ねて海底に着床せしめる複数のアンカーと、上記アンカーを順次に連結する枢支手段と、互に隣接するアンカーの遊端間を連結する所定の長さの連結部材とよりなることを特徴とする浮体の係留装置。
【発明の詳細な説明】
【０００１】
【発明の属する技術分野】
本発明は浮体の係留装置、特にアンカーチェーン係留や鉛直係留（テンションレグ）方式による浮体の係留装置に関するものである。
【０００２】
【従来の技術】
図１７は従来のアンカーチェーン係留による浮体の係留装置を示し、１は海上に浮かぶ浮体、２は海底に着床したアンカー、３は上記浮体１と上記アンカー２とを繋ぐ複数本のチェーン又はワイヤー等の連結部材である。
【０００３】
上記従来の浮体の係留装置においては、浮体１が風、潮流等の外力を受け、それによりチェーンに加わる衝撃力をチェーンのカテナリ効果により、即ち、チェーンの重量によるたわみの変化により吸収していた。
【０００４】
【発明が解決しようとする課題】
然しながら、チェーンのカテナリ効果にも限度があり、図１８に示すように浮体の水平方向の変位がある値以上になると急激にチェーンの張力が大きくなり、その後いっきにチェーンが破断してしまうという問題があった。
【０００５】
本発明は上記の問題を解決するようにしたものである。
【０００６】
【課題を解決するための手段】
本発明の浮体の係留装置は、浮体を係留するため海底に着床せしめる複数の小アンカーと１個の大アンカーと、上記各小アンカーを数珠状に繋ぐため、小アンカーの一端と他の小アンカーの他端とをそれぞれ直接連結する弾性体からなる連結具と、上記数珠状に連なったアンカー群の一端側の小アンカーと浮体とを連結する連結部材と、上記数珠状に連なったアンカー群の他端側の小アンカーと上記大アンカーとを直接連結する弾性体からなる連結具とより成ることを特徴とする。
【０００７】
また、本発明の浮体の係留装置は、浮体を係留するため海底に着床する第一アンカーと、上記第一アンカーを上方から覆う、その天井面を上記第一アンカーの上面から一定の間隔離間するように海底に着床せしめる第二アンカーと、上記第二アンカーの天井板に設けた貫通孔と、上記貫通孔を貫通して、上記浮体と上記第一アンカー間を連結する連結部材とよりなることを特徴とする。
【０００８】
上記第一アンカーの上面と上記第二アンカーの天井面との間に衝撃吸収部材を設けたことを特徴とする。
【０００９】
また、本発明の浮体の係留装置は、浮体を係留するため海底に着床せしめる細長い砂袋と、上記砂袋の一端と浮体とを連結する連結部材とより成り、上記浮体と上記砂袋との間の変位が増加するにつれて、上記砂袋の一端側から他端側に向けて海底から持ち上がることを特徴とする。
【００１０】
また、本発明の浮体の係留装置は、浮体を係留するため順次に重ねて海底に着床せしめる複数のアンカーと、上記アンカーを順次に連結する枢支手段と、互に隣接するアンカーの遊端間を連結する所定の長さの連結部材とよりなることを特徴とする。
【００１１】
【発明の実施の形態】
以下図面によって本発明の実施例を説明する。
【００１２】
本発明においては、図１に示すように、アンカー２として複数の例えば３個の小アンカー４ａ〜４ｃと１個の大アンカー５を用い、この各小アンカー４ａ〜４ｃを夫々連結具６により数珠状に繋ぐと共に、上記数珠状に連なったアンカー群の一端側の小アンカー４ａをチェーン３に連結せしめ、上記数珠状に連なった他端側のアンカー４ｃを連結具６によって上記大アンカー５に連結せしめる。
【００１３】
本発明の浮体の係留装置は上記のような構成であるから、浮体１が水平方向から外力を受け、上記浮体１と大アンカー５との間の変位が増加するにつれて、図２及び図３に示すように、海底に着床した、上記数珠状に連なった小アンカー４ａ〜４ｃが一端側から他端側に向けて１個づつ海底から順次に持ち上がり、これにより、図４の一点鎖線に示すように、浮体１の水平方向変位が大きくなった場合でも、チェーンの張力の急激な増加を防ぐことが可能となる。
【００１４】
図５及び図６は鉛直係留（テンションレグ）方式に適用した本発明の他の実施例を示し、この実施例においてはアンカー２として、海底に着床したブロック状の第一アンカー７と、この第一アンカー７を上方から覆う、その天井面を上記第一アンカー７の上面から一定の間隔離間するよう海底に着床した箱状の第二アンカー８とを用い、上記第二アンカー８の天井板には浮体１から垂下するチェーン３の貫通孔９を設け、この貫通孔９を貫通して垂下するチェーン３に上記第一アンカー７の上面を連結せしめる。
【００１５】
また、上記第一アンカー７の上面には上記第二アンカー８の天井面に対向する位置に衝撃吸収用のゴム等のフェンダー１０を設ける。
【００１６】
この実施例においては浮体１が垂直又は水平方向から外力を受け、上記浮体１とアンカー７との間の変位が増加するにつれて、図７に示すように、第一アンカー７が持ち上がり、上記フェンダー１０が上記第二アンカー８の天井面に接触して所定量変形するようになるので、これにより、図８に示すように、チェーン３が破断するに至るまでの浮体１の垂直方向変位を大きくすることができる。
【００１７】
なお、上記連結具６としては通常のチェーン係留の場合には図９及び図１０に示すようにゴムの弾性体１１を用いて、上記小アンカーの一端と他の小アンカーの他端とをそれぞれ直接連結し、また上記数珠状に連ったアンカー群の他端側の小アンカーと上記大アンカーとを直接連結しても良い。
【００１８】
また、図１１及び図１２に示すようにアンカー４ａ〜４ｃ及び５を用いる代りに細長い砂袋１２を用いても良い。
【００１９】
更に、図１３〜図１６に示すように複数のアンカー１３を上下に積み重ねたものを用い、互に上下に隣接するアンカー同志の一端を枢支ピン１４によりジグザグ状に連結し、互に枢支され２個のアンカー１３の遊端間を所定の長さの紐状ストッパー１５により連結せしめて、チェーン３が引き上げられたとき、各アンカー１３が図１３〜図１６に示すように順次に立ち上がるようにしても良い。
【００２０】
【発明の効果】
上記のように本発明の浮体の係留装置によれば、アンカーを複数分割して少しずつアンカーが上がるようにしたので、従来以上の衝撃力を吸収することができ、チェーンの破断に至る迄の浮体の水平方向変位を大きくできる大きな利益がある。
【図面の簡単な説明】
【図１】本発明の浮体の係留装置の説明図である。
【図２】本発明の浮体の係留装置の説明図である。
【図３】本発明の浮体の係留装置の説明図である。
【図４】本発明の浮体の係留装置のチェーンの張力と浮体の水平方向の変位との関係を示すグラフである。
【図５】本発明の浮体の係留装置の他の実施例の説明図である。
【図６】本発明の浮体の係留装置の他の実施例のアンカー部分の縦断側面図である。
【図７】本発明の浮体の係留装置の他の実施例のアンカー部分の縦断側面図である。
【図８】本発明の浮体の係留装置の他の実施例のチェーンの張力と浮体の垂直方向の変位との関係を示すグラフである。
【図９】本発明の浮体の係留装置の他の実施例説明図である。
【図１０】本発明の浮体の係留装置の他の実施例説明図である。
【図１１】本発明の浮体の係留装置の他の実施例説明図である。
【図１２】本発明の浮体の係留装置の他の実施例説明図である。
【図１３】本発明の浮体の係留装置の他の実施例説明図である。
【図１４】本発明の浮体の係留装置の他の実施例説明図である。
【図１５】本発明の浮体の係留装置の他の実施例説明図である。
【図１６】本発明の浮体の係留装置の他の実施例説明図である。
【図１７】従来の浮体の係留装置の説明図である。
【図１８】従来の浮体の係留装置のチェーン張力と浮体の垂直方向の変位との関係を示すグラフである。
【符号の説明】
１    浮体
２    アンカー
３    チェーン
４ａ  小アンカー
４ｂ  小アンカー
４ｃ  小アンカー
５    大アンカー
６    連結具
７    第一アンカー
８    第二アンカー
９    貫通孔
１０    フェンダー
１１    弾性体
１２    砂袋
１３    アンカー
１４    枢支ピン
１５    ストッパー
【図１】
0004434390.tif 000002
【図２】
0004434390.tif 000003
【図３】
0004434390.tif 000004
【図４】
0004434390.tif 000005
【図５】
0004434390.tif 000006
【図６】
0004434390.tif 000007
【図７】
0004434390.tif 000008
【図８】
0004434390.tif 000009
【図９】
0004434390.tif 000010
【図１０】
0004434390.tif 000011
【図１１】
0004434390.tif 000012
【図１２】
0004434390.tif 000013
【図１３】
0004434390.tif 000014
【図１４】
0004434390.tif 000015
【図１５】
0004434390.tif 000016
【図１６】
0004434390.tif 000017
【図１７】
0004434390.tif 000018
【図１８】
0004434390.tif 000019